(57)【要約】【課題】キャスティングの初期においてはスプールをスムーズに回転させて飛距離の向上を図ることができるとともに、キャスティングの終期においては飛距離を不必要に低下させることなくスプールに適度な制動力を付与してバックラッシュを効果的に防止できる魚釣用リールの提供を目的としている。【解決手段】本発明の一実施形態に係る魚釣用リール１では、導電体４０を磁界から離れる方向に向けて付勢するバネ部材６０が、スプール３の軸方向に向けて漸次的に外径が大きくなるテーパ形状に形成されているため、スプール３の回転速度が低下するキャスティング終期においては、移動体２５に対して作用するバネ部材６０の付勢力が急激に変化することも段階的に変化することもなく、漸次的に変化する。そのため、導電体４０が急激な変化のない状態でゆっくりと磁界内から離れ、適度な制動力がキャスティング終期のスプール３に対して付与される。【選択図】図２
2008245551.tif 000002
【特許請求の範囲】
【請求項１】
リール本体に回転可能に設けられたスプールの一側に軸方向に移動可能に支持された導電体を、前記スプールの回転によって径方向に移動する径方向移動部材とスプール側に設けた軸方向変換制御面との係合案内作用によって、前記リール本体に設けた磁石の磁界内に対して進退させることにより、前記スプールに磁気制動力を増減可能に作用させる磁気制動装置を備え、前記導電体がバネ部材により前記磁界から離れる方向に向けて前記スプール側へと付勢される魚釣用リールにおいて、
前記バネ部材は、前記スプールの軸方向に向けて漸次的に外径が大きくなるテーパ形状に形成されていることを特徴とする魚釣用リール。
【発明の詳細な説明】
【技術分野】
【０００１】
本発明は、リール本体に回転自在に支持されたスプールに制動力を付与して、釣糸放出操作時のバックラッシュを防止する磁気制動装置を備えた魚釣用リールに関する。
【背景技術】
【０００２】
従来、釣糸放出時（例えば、キャスティング時）のスプールの過回転によるバックラッシュ現象を防止するため、スプールの回転に制動力を付与することが行なわれている。スプールの回転に制動力を付与するバックラッシュ防止装置としては、スプールの回転に伴って発生する遠心力を利用した遠心力制動装置（遠心摩擦ブレーキ装置）や、磁力を利用した磁気制動装置が知られている。前記遠心力制動装置は、スプールの回転に伴う遠心力によって、スプールと一体で回転する制動板をスプールの径方向に移動させてリール本体の所定の部位に摺接させ、それによって生じる摩擦力によりスプールに制動力を付与する。
【０００３】
また、前記磁気制動装置は、スプールと一体で回転する導電体を磁石によって形成される磁界中に位置させ、導電体の回転に伴って生じる電磁力により、導電体の回転に制動力を付与するとともに、導電体とともに回転するスプールに制動力を付与する。
【０００４】
しかしながら、前記遠心力制動装置において、遠心力によって発生する摩擦力（遠心力によって移動される制動片と制動片が摺接するリール本体との間で生じる摩擦力）は、スプールの回転速度の２乗に比例して作用する。そのため、キャスティング開始後にスプールの回転速度が所定の大きさ以上になると（キャスティングの初期段階）、急激に摩擦制動力が大きくなり、スプールの回転速度が急激に低下する。したがって、仕掛けの飛距離が低下してしまう。また、キャスティング終期にスプールの回転速度が低下した場合には、摩擦抵抗力の低下が大きくなるため、バックラッシュ現象が生じやすくなる。この場合には、適切なサミング操作が必要となるが、そのような操作は、かなりの熟練を要し、初心者には非常に困難である。
【０００５】
一方、前記磁気制動装置においては、スプールの回転速度に略比例して制動力が作用するため、遠心力制動装置のようにスプールの回転速度の変化に対して制動力が大きく変化することがない。したがって、バックラッシュ現象が発生しにくく、初心者でも安心してキャスティングができる。しかし、スプールが回転している間は常にスプールの回転速度に応じた制動力が発生するため、スプールの回転速度が低下するキャスティング終期においても制動力がスプールに作用し、仕掛けの飛距離が伸びない。
【０００６】
そこで、以上のような遠心力制動装置および磁気制動装置の両方の問題点を解決するため、例えば特許文献１では、キャスティングの初期や終期におけるスプール回転速度の抑制を無くして、仕掛けの飛距離増大とバックラッシュ発生防止とを図るべく、スプールの回転速度に応じて遠心カラーの径方向移動を軸方向に変換させ、遠心カラーに設けられた導電体を付勢力に抗してリール本体内の磁界内に進退可能としている。
【特許文献１】特許第３５１５８７５号公報
【発明の開示】
【発明が解決しようとする課題】
【０００７】
特許文献１の構成によれば、スプールが低速で回転している間は、付勢力の作用により導電体が磁界の外側に位置されるため、スプールに対して制動力が発生しない。そのため、キャスティングの初期の立ち上がりにおいては、不要なスプール回転の抑制が無くなり、したがって、立ち上がりがスムーズとなって、従来の磁気制動装置に比べて飛距離の向上を図ることができる。
【０００８】
しかしながら、キャスティングの終期においては、導電体を磁界内から遠ざける方向に付勢力が作用するため、スプールの回転速度が低下すると、導電体が急激に磁界外へ戻され、制動力が作用しなくなる。特に、キャスティングの初期のスムーズな立ち上がりを優先して導電体を付勢する付勢力を強くしてしまうと、スプールの回転速度が所定速度以下になった段階で、導電体が更に急激に磁界外へ戻されてしまい、制動力が急に作用しなくなる。そのため、実際には、バックラッシュの発生を防止するサミング操作をキャスティングの終期に行なわざるを得なくなり、最後のひと伸びにブレーキを掛ける結果となって、満足のいく飛距離が得られないといった問題が生じる。
【０００９】
また、特許文献１には、付勢力の異なる付勢バネを導電体の移動方向に直列に設ける実施例も開示されているが、この場合には、キャスティングの終期に導電体に対して付勢力が段階的に作用し、その影響で制動力も段階的に変化することになるため、キャスティングの終期にバックラッシュ現象が発生し易くなり、結果的に、飛距離向上に至らない等の課題が残されている。
【００１０】
本発明は、前記事情に着目してなされたものであり、その目的とするところは、キャスティングの初期においてはスプールをスムーズに回転させて飛距離の向上を図ることができるとともに、キャスティングの終期においては飛距離を不必要に低下させることなくスプールに適度な制動力を付与してバックラッシュを効果的に防止できる魚釣用リールを提供することにある。
【課題を解決するための手段】
【００１１】
前記課題を解決するために、本発明は、リール本体に回転可能に設けられたスプールの一側に軸方向に移動可能に支持された導電体を、前記スプールの回転によって径方向に移動する径方向移動部材とスプール側に設けた軸方向変換制御面との係合案内作用によって、前記リール本体に設けた磁石の磁界内に対して進退させることにより、前記スプールに磁気制動力を増減可能に作用させる磁気制動装置を備え、前記導電体がバネ部材により前記磁界から離れる方向に向けて前記スプール側へと付勢される魚釣用リールにおいて、前記バネ部材は、前記スプールの軸方向に向けて漸次的に外径が大きくなるテーパ形状に形成されていることを特徴とする。
【発明の効果】
【００１２】
本発明の魚釣用リールによれば、キャスティングの初期においてはスプールをスムーズに回転させて飛距離の向上を図ることができるとともに、キャスティングの終期においては飛距離を不必要に低下させることなくスプールに適度な制動力を付与してバックラッシュを効果的に防止できる。
【発明を実施するための最良の形態】
【００１３】
以下、図面を参照しながら、本発明の一実施形態について説明する。
図１〜図４は本発明の一実施形態を示している。図１に示すように、本実施形態に係る魚釣用リールとしての両軸受型リール１は、左側板１ａと、右側板１ｂと、両側板１ａ，１ｂによって覆われた左右のフレーム２ａ，２ｂとを有するリール本体を備えている。左右のフレーム２ａ，２ｂ間にはスプール軸５が軸受１０，１０を介して回転可能に支持されており、また、スプール軸５には釣糸が巻回されるスプール３が一体で固定されている。
【００１４】
左フレーム２ａから突出するスプール軸５の端部には、スプール軸５の軸方向に沿って移動可能なピニオンギア（図示せず）が取り付けられている。このピニオンギアは、図示しない公知の切換手段によって、スプール軸５と係合してスプール軸５と一体に回転する係合位置と、スプール軸５との係合状態が解除される非係合位置との間で移動される。また、ピニオンには駆動歯車（図示せず）が噛合しており、駆動歯車に取り付けられたハンドル軸（図示せず）の端部にはハンドル１１２が取り付けられている。したがって、ハンドル１１２を回転操作すると、前記駆動歯車と前記ピニオンギアとを介して、スプール軸５が回転駆動され、それに伴ってスプール３が回転される。
【００１５】
また、左右のフレーム２ａ，２ｂ間には、スプール３の釣糸繰出し方向側に、レベルワインド装置１５が配されている。このレベルワインド装置１５は、外周面にトラバース溝が形成され且つ端部に前記駆動歯車と噛合する歯車が取り付けられたトラバース軸（図示せず）と、このトラバース軸を収容する筒体１７と、前記トラバース溝と係合してトラバース軸の回転により筒体１７に沿って左右に摺動する係合子１８とを有しており、係合子１８に形成された孔１８ａを介してスプール３に巻回された釣糸を案内する。したがって、ハンドル１１２を回転操作すれば、スプール３の回転および係合子１８の左右の摺動により、スプール３には釣糸が均等に巻回される。
【００１６】
また、本実施形態の両軸受型リール１は、釣糸放出動作の際にスプール３の過回転を防止する磁気制動装置２０を備えている。磁気制動装置２０は、磁性体からなる２つの環状体１１，１２を有している。この場合、第１の環状体１１はリール本体に固定されており、また、第２の環状体１２はリール本体に回動可能に保持されている。
【００１７】
第１の環状体１１は、スプール軸５の一端を支持する軸受１０を保持するとともにスプール軸５の軸方向に沿って内側に延びる環状の第１の磁石保持部１１ａを有している。また、第２の環状体１２は、第１の磁石保持部１１ａの外側に同心的に配された環状の第２の磁石保持部１２ａを有している。
【００１８】
第１の磁石保持部１１ａの外周面には、その周方向に互いに所定の間隔をおいて、複数の磁石１３…が固着されている。また、第２の磁石保持部１２ａの内周面にも、その周方向に互いに所定の間隔をおいて、複数の磁石１４…が内側に位置する前記磁石１３…と対向するように固着されている。
【００１９】
第１の磁石保持部１１ａに保持された磁石１３は、第２の磁石保持部１２ａに保持された磁石１４と対向する側の極性が、互いに隣り合うもの同士で異なっている。また、第２の磁石保持部１２ａに保持された磁石１４も、第１の磁石保持部１１ａに保持された磁石１３と対向する側の極性が、互いに隣り合うもの同士で異なっている。
【００２０】
また、右側板１ｂには、制動力調整ノブ２１が回動可能に設けられている。この制動力調整ノブ２１にはこれと一体に回動するギア２２が固定されており、このギア２２は、第２の環状体１２の外周面に形成された歯１９と噛み合っている。したがって、制動力調整ノブ２１を回動操作すると、ギア２２を介して第２の環状体１２が第１の環状体１１に対して回動し、互いに対向する磁石１３，１４同士の極性関係（Ｎ−Ｎ，Ｎ−Ｓ）やオーバーラップ量が変化する。すなわち、磁石１３，１４によって形成される磁界の方向や強さが変化される。
【００２１】
また、磁気制動装置２０は、スプール軸５にその軸方向に沿って移動可能に取り付けられた移動体２５を有している。図２および図３に詳しく示されるように、移動体２５には、所定間隔をおいて径方向に伸張して形成された切り欠き状の支持部２５ｂが形成されており、各支持部２５ｂには、径方向に移動可能となるように遠心カラー（径方向移動部材）３０が支持されている。そして、これらの遠心カラー３０は、スプール軸５（および移動体２５）がスプール３と共に回転した際、その遠心力によって径方向外側に移動するようになっている。また、移動体２５の先端側（右フレーム２ｂ側）には、環状の導電体４０が支持されている。
【００２２】
また、スプール３の釣糸巻回面の裏面側には、右フレーム２ｂ側に向けて次第に拡径する軸方向変換制御面としてのテーパ面６２が形成されている。このテーパ面６２は、遠心カラー３０が径方向外側に移動する際に遠心カラー３０の外面に形成された傾斜面３０ａと面接触（係合）して、遠心カラー３０の移動を案内するようになっている。すなわち、移動体２５に支持された遠心カラー３０は、スプール軸５（スプール３）の回転に伴う遠心力により、径方向に移動するとともに、テーパ面６２に沿って案内され、環状の導電体４０が支持された移動体２５を右フレーム２ｂ側へと軸方向に移動する（遠心カラー３０の径方向の移動が移動体２５の軸方向の移動へ変換される）ようになっている。
【００２３】
また、スプール軸５の一端部に固定されたリテーナ５０と移動体２５の本体２５ａとの間には、移動体２５をリテーナ５０から離間させるスプール３側方向に向けて常時付勢する（導電体４０を磁石１３，１４の磁界から離れる方向に向けてスプール３側へと常時付勢する）バネ部材６０が介挿されている。そして、本発明の第１の実施形態において、このバネ部材６０は、スプール３側から磁石１３，１４側に向けて漸次的に外径が大きくなるテーパ形状に形成されている。すなわち、バネ部材６０は、移動体２５の本体２５ａに支持されている一端部の外径が最も小さく、リテーナ５０に支持されている他端部の外径が最も大きく設定されており、スプール３側から磁石１３，１４側に向けて所謂ラッパ状に広がっている。したがって、バネ部材６０は、縮み初めは付勢力（復元力）が弱く、縮む量が大きくなるにつれて付勢力（復元力）が漸次的に強くなる。
【００２４】
次に、上記構成の両軸受型リール１の動作について説明する。
【００２５】
例えばキャスティングによってスプール３が回転すると、移動体２５もスプール３と一体に回転する。キャスティング開始直後の初期において、スプール３の回転速度が所定の大きさに到達するまでの間は、遠心カラー３０に作用する遠心力が弱いため、スプール３のテーパ面６２に対する遠心カラー３０の押圧力の軸方向分力はバネ部材６０の付勢力よりも小さい。したがって、移動体２５は、図２および図３に示すように、スプール軸５に対して軸方向に殆ど移動することなく、スプール３停止時と略同様の位置を維持する。つまり、移動体２５に取り付けられた導電体４０が磁石１３，１４間に形成された環状空間に突入せず、スプール３には磁気に伴う制動力（磁気制動力）が作用しない。その結果、スプール３がフリーに回転して（スプール３の回転速度が向上し）、釣糸の投出量すなわち仕掛けの飛距離が伸びる。
【００２６】
その後、スプール３の回転速度が上昇して遠心カラー３０に作用する遠心力が所定の大きさを超えると、すなわち、スプール３のテーパ面６２に対する遠心カラー３０の押圧力の軸方向分力がバネ部材６０の付勢力よりも大きくなると、移動体２５は、遠心カラー３０とテーパ面６２との係合案内作用により、バネ部材６０の付勢力に抗してスプール軸５に対して移動し始める。そして、この移動によって、導電体４０が図４に示すように磁石１３，１４間に形成された環状空間（磁界）内に侵入すると、導電体４０は、その侵入量（移動量）と回転速度とに応じた力を磁界から受ける。したがって、導電体４０と一体で回転するスプール３にもこの力に伴う制動力が作用する。つまり、スプール３にはその回転速度に応じた磁気制動力が増減可能に作用し、その結果、スプール３の過回転が防止され、バックラッシュ現象が抑止される。
【００２７】
また、キャスティングの終期において、スプール３の回転速度が減少して遠心カラー３０に作用する遠心力が弱くなると、すなわち、スプール３のテーパ面６２に対する遠心カラー３０の押圧力の軸方向分力がバネ部材６０の付勢力よりも小さくなると、移動体２５はバネ部材６０の付勢力によって初期位置へ向かって戻され始める。これにより、導電体４０は、磁石１３，１４間に形成された環状空間（磁界）から徐々に抜け出し、磁界から受ける力が次第に小さくなる。ここで、本実施形態では、縮み初めが弱く、縮むほど強くなる性質（バネ定数変化の特性）を有するテーパ形状のバネ部材６０を磁石１３，１４側に向けて大径となる配置形態で設けているため、スプール３の回転速度が低下するこのキャスティング終期において、バネ部材６０の付勢力を受ける導電体４０は、急激な変化のない状態でゆっくりと磁界内から離れる。そのため、適度な制動力がキャスティング終期のスプール３に対して付与される。したがって、不要なサミング操作を回避でき、飛距離向上を図ることができる。つまり、キャスティング終期において、飛距離を不必要に低下させることなく、スプールに適度な制動力を付与してバックラッシュを効果的に防止できる（サミング操作を行なう場合でも、適度にゆとりをもって行なうことができる）。
【００２８】
なお、第１の実施形態として、バネ部材６０をスプール３側から磁石１３，１４側に向けて漸次的に外径が大きくなるテーパースプリングとしたが、これとは逆に、磁石１３，１４側からスプール３側に向けて外径が大きくなるテーパースプリングを導電体４０の付勢手段として構成しても良い。
【００２９】
以上説明したように、本実施形態の魚釣用リール１では、導電体４０を磁界から離れる方向に向けて付勢するバネ部材６０が、スプール軸５の軸方向に向けて漸次的に外径が大きくなる（磁石１３，１４側またはスプール３側に向けて漸次的に外径が大きくなる）テーパ形状に形成されているため、スプール３の回転速度が低下するキャスティング終期においては、移動体２５に対して作用するバネ部材６０の付勢力が急激に変化することも段階的に変化することもなく、漸次的に変化する。そのため、導電体４０が急激な変化のない状態でゆっくりと磁界内から離れ、適度な制動力がキャスティング終期のスプール３に対して付与される。つまり、スプール回転速度に応じて磁界内を進退する導電体の付勢手段として、バネ定数変化の特性を有するテーパースプリングを採用することで、キャスティングの終期においては飛距離を不必要に低下させることなくスプール３に適度な制動力を付与してバックラッシュを効果的に防止することが可能となった。
【図面の簡単な説明】
【００３０】
【図１】本発明の一実施形態に係る魚釣用リールの一部断面を有する概略構成図である。
【図２】図１の魚釣用リールの要部の断面図である（制動力非作用時）。
【図３】図２の二点鎖線円で囲まれる領域の拡大断面図である。
【図４】図１の魚釣用リールの要部の断面図である（制動力作用時）。
【符号の説明】
【００３１】
１  魚釣用リール
３  スプール
１３，１４  磁石
３０  遠心カラー（径方向移動部材）
４０  導電体
６０  バネ部材
６２  テーパ面（軸方向変換制御面）
【図１】
2008245551.tif 000003
【図２】
2008245551.tif 000004
【図３】
2008245551.tif 000005
【図４】
2008245551.tif 000006